(57)【要約】【課題】サイドライト型のバックライトのバラツキや径時変化に起因する輝度ムラを確実に解消することを図る。【解決手段】輝度測定部１２７は、液晶パネル１２１の輝度を測定する。データ処理部１２８は、輝度の分布を示す分布データを求める。分布データは、データ記憶部１１６に一旦記憶されてから読み出され、階調変調部１１４は、分布データを基に、画像信号の階調を変調し、変調後の画像信号に基づく画像を、液晶パネル１２１に表示させる。バックライト制御部１１５は、分布データと画像信号とを基に、バックライト１２２の光量を制御する。【選択図】図１
2008310147.tif 000002
【特許請求の範囲】
【請求項１】
液晶パネル、この液晶パネルの背面側に配置されるサイドライト型のバックライト、このバックライトの点灯時において、前記液晶パネルの表示領域を複数に区分してなる各領域の輝度を測定する手段を備える液晶モジュールと、
前記測定された輝度情報が記憶される手段、この記憶された輝度情報を読み出し、この輝度情報を基に、画像信号の階調を変調し、変調後の画像信号を、前記液晶パネルに伝送させる手段、前記記憶された輝度情報を読み出し、この輝度情報と前記画像信号とを基に、前記バックライトの光量を制御する手段を備えるグラフィックチップと
を備えることを特徴とする液晶表示装置。
【請求項２】
液晶パネル、この液晶パネルの背面側に配置されるサイドライト型のバックライト、このバックライトの点灯時において、前記液晶パネルの表示領域を複数に区分してなる各領域の輝度を測定する手段、この測定された輝度情報から輝度の分布を示す分布データを求める手段を備える液晶モジュールと、
前記分布データが記憶される手段、この記憶された分布データを読み出し、この分布データを基に、画像信号の階調を変調し、変調後の画像信号を、前記液晶パネルに伝送させる手段、前記記憶された分布データを読み出し、この分布データと前記画像信号とを基に、前記バックライトの光量を制御する手段を備えるグラフィックチップと
を備えることを特徴とする液晶表示装置。
【請求項３】
液晶パネル、この液晶パネルの背面側に配置されるサイドライト型のバックライト、このバックライトの点灯時において、前記液晶パネルの表示領域を複数に区分してなる各領域の輝度を測定する手段、この測定された輝度情報から輝度の分布を示す分布データを求めるとともに、この分布データの平均値を求め、この平均値と分布データとの差分値を求める手段とを備える液晶モジュールと、
前記平均値および差分値が記憶される手段、この記憶された平均値および差分値を読み出し、この平均値および差分値を基に、画像信号の階調を変調し、変調後の画像信号を、前記液晶パネルに伝送させる手段、前記記憶された平均値および差分値を読み出し、この平均値および差分値と画像信号とを基に、前記バックライトの光量を制御する手段を備えるグラフィックチップと
を備えることを特徴とする液晶表示装置。
【請求項４】
前記輝度情報がガウス分布に近似可能なものであり、前記分布データがガウス分布を示すものであることを特徴とする請求項２または３記載の液晶表示装置。
【請求項５】
前記分布データが前記バックライトからの距離の関数により得られるものであることを特徴とする請求項２ないし４のいずれかに記載の液晶表示装置。
【請求項６】
前記平均値が前記バックライトからの距離の関数により得られるものであることを特徴とする請求項３ないし５のいずれかに記載の液晶表示装置。
【発明の詳細な説明】
【技術分野】
【０００１】
本発明は、サイドライト型のバックライトのバラツキや径時変化に起因する輝度ムラを確実に解消することを図った液晶表示装置に関する。
【背景技術】
【０００２】
従来において、アクティブマトリクス型の液晶表示装置は、その多くがバックライトを備える。近年では、冷陰極管を用いたバックライトに代えて、導光板の側面にＬＥＤを配したバックライト、いわゆるサイドライト型のバックライトが用いられる。
【０００３】
このようなバックライトの種類によらず、液晶表示装置では、黒い画像を表示するときは、画像を白側に変調し、バックライトの光量を少なくすることで、消費電力の低下が図られる。
【０００４】
図５に示すように、例えば、サイドライト型のバックライト１２２を用い、黒地に白点を有する画像を液晶パネル１２１に表示する場合は、各ＬＥＤの光量を一様に少なくし、画像を白側に変調する。このとき、白点の明るさが不足する場合があるが、だからといって、白点に届く光を発するＬＥＤ１２２ｗの光量を多くすると、ＬＥＤ１２２ｗの光が届く領域と黒地の重なり部分の輝度が高くなり、その結果、輝度ムラが生じる。
【０００５】
そこで、ＬＥＤ１２２ｗの光量は多くし、ＬＥＤ１２２ｗの光が届く領域と黒地とが重なる部分では白側への変調を弱めるという制御によって、この輝度ムラが解消される。
【０００６】
このような制御を行うためには、予め１つのＬＥＤの位置とその光の届く領域との相対的な位置関係を求め、それをグラフィックチップなどに記憶しておけばよい。こうしておけば、この記憶内容に基づいて、上述の制御を行うことができる。
【特許文献１】特開２００５−２５８４０３号公報
【発明の開示】
【発明が解決しようとする課題】
【０００７】
しかし、導光板には導光性能のバラツキがあり、また、ＬＥＤには光が届く範囲や光量のバラツキおよび径時変化があるため、上述したような位置関係を求め、それをグラフィックチップなどに記憶しておく方法では、輝度ムラを解消できない場合があった。
【０００８】
本発明は、上記の課題に鑑みてなされたものであり、その目的とするところは、サイドライト型のバックライトのバラツキや径時変化に起因する輝度ムラを確実に解消することを図った液晶表示装置を提供することにある。
【課題を解決するための手段】
【０００９】
上記の課題を解決するために、第１の本発明に係る液晶表示装置は、液晶パネル、この液晶パネルの背面側に配置されるサイドライト型のバックライト、このバックライトの点灯時において、前記液晶パネルの表示領域を複数に区分してなる各領域の輝度を測定する手段を備える液晶モジュールと、前記測定された輝度情報が記憶される手段、この記憶された輝度情報を読み出し、この輝度情報を基に、画像信号の階調を変調し、変調後の画像信号を、前記液晶パネルに伝送させる手段、前記記憶された輝度情報を読み出し、この輝度情報と前記画像信号とを基に、前記バックライトの光量を制御する手段を備えるグラフィックチップとを備えることを特徴とする。
【００１０】
第１の本発明に係る液晶表示装置によれば、バックライトのバラツキや径時変化に起因する輝度ムラが生じたときに、輝度を測定し、輝度情報を基に画像信号の階調を変調して表示させ、輝度情報と画像信号とを基に、バックライトの光量を制御できるので、バックライトのバラツキや径時変化に起因する輝度ムラを確実に解消することが可能になる。
【００１１】
第２の本発明に係る液晶表示装置は、液晶パネル、この液晶パネルの背面側に配置されるサイドライト型のバックライト、このバックライトの点灯時において、前記液晶パネルの表示領域を複数に区分してなる各領域の輝度を測定する手段、この測定された輝度情報から輝度の分布を示す分布データを求める手段を備える液晶モジュールと、前記分布データが記憶される手段、この記憶された分布データを読み出し、この分布データを基に、画像信号の階調を変調し、変調後の画像信号を、前記液晶パネルに伝送させる手段、前記記憶された分布データを読み出し、この分布データと画像信号とを基に、前記バックライトの光量を制御する手段を備えるグラフィックチップとを備えることを特徴とする。
【００１２】
第２の本発明に係る液晶表示装置によれば、バックライトのバラツキや径時変化に起因する輝度ムラが生じたときに、輝度を測定し、輝度の分布を示す分布データを求め、分布データを基に画像信号の階調を変調して表示させ、分布データと画像信号とを基に、バックライトの光量を制御できるので、バックライトのバラツキや径時変化に起因する輝度ムラを確実に解消することが可能になる。しかも、輝度の数より、分布データの数が少ないので、グラフィックチップへ送信されるデータ数を少なくできる。
【００１３】
第３の本発明に係る液晶表示装置は、液晶パネル、この液晶パネルの背面側に配置されるサイドライト型のバックライト、このバックライトの点灯時において、前記液晶パネルの表示領域を複数に区分してなる各領域の輝度を測定する手段、この測定された輝度情報から輝度の分布を示す分布データを求めるとともに、この分布データの平均値を求め、この平均値と分布データとの差分値を求める手段とを備える液晶モジュールと、前記平均値および差分値が記憶される手段、この記憶された平均値および差分値を読み出し、この平均値および差分値を基に、画像信号の階調を変調し、変調後の画像信号を、前記液晶パネルに伝送させる手段、前記記憶された平均値および差分値を読み出し、この平均値および差分値と画像信号とを基に、前記バックライトの光量を制御する手段を備えるグラフィックチップとを備えることを特徴とする。
【００１４】
第３の本発明に係る液晶表示装置によれば、バックライトのバラツキや径時変化に起因する輝度ムラが生じたときに、輝度を測定し、輝度の分布を示す分布データを求め、一部の分布データの平均値および差分値を求め、平均値および差分値を基に画像信号の階調を変調して表示させ、平均値および差分値と画像信号とを基に、バックライトの光量を制御できるので、バックライトのバラツキや径時変化に起因する輝度ムラを確実に解消することが可能になる。しかも、分布データの数より、平均および差分の数が少ないので、グラフィックチップへ送信されるデータ数を少なくできる。
【００１５】
なお、本発明では、バックライトが複数のＬＥＤを備え、輝度測定部が、各ＬＥＤにつき、当該ＬＥＤのみの点灯時において、当該ＬＥＤからの光が届く領域を区分してなる各領域の輝度を測定する。これにより、液晶パネルの全領域の輝度を測定する場合よりも、輝度の数を少なくできる。また、分布データ、平均および差分の数を少なくできる。よって、グラフィックチップへ送信されるデータ数を少なくできる。
【００１６】
また、本発明では、例えば、輝度情報がガウス分布に近似可能なものであり、分布データがガウス分布を示すものである。
【００１７】
また、本発明では、例えば、分布データがバックライトからの距離の関数により得られるものである。
【００１８】
また、本発明では、例えば、平均値がバックライトからの距離の関数により得られるものである。
【発明の効果】
【００１９】
本発明によれば、バックライトのバラツキや径時変化に起因する輝度ムラが生じたときに、輝度を測定し、輝度を基に画像の階調を変調して表示させ、輝度と画像とを基に、バックライトの光量を制御できるので、バックライトのバラツキや径時変化に起因する輝度ムラを確実に解消することが可能になる。
【発明を実施するための最良の形態】
【００２０】
以下、本発明の実施の形態を図面を参照して説明する。
【００２１】
図１は、本発明の実施の形態に係る液晶表示装置１の構成図である。
【００２２】
液晶表示装置１は、グラフィックチップ１１と液晶モジュール１２を備える。
【００２３】
グラフィックチップ１１は、表示すべき画像を生成する画像生成部１１１と、生成された画像を記憶するフレームバッファ１１２と、記憶された画像の画像信号を読み出す読み出し回路１１３と、読み出された画像信号の階調を変調する階調変調部１１４と、読み出された画像信号を基にバックライト制御を行うバックライト制御部１１５と、階調変調およびバックライトの光量制御のためのデータなどが記憶されるデータ記憶部１１６とを備える。
【００２４】
液晶モジュール１２は、画像が表示される液晶パネル１２１と、この液晶パネル１２１の背面側に配置されるサイドライト型のバックライト１２２と、バックライト１２２を制御するバックライトコントロール回路１２３と、液晶パネル１２１に画像を表示するドライバ部１２４と、表示のタイミングを制御するタイミングコントローラ１２５と、表示に用いられる階調電圧を生成する階調電源１２６と、液晶パネル１２１の表示領域を複数に区分してなる各領域の輝度を測定する輝度測定部１２７と、測定された輝度を処理するデータ処理部１２８とを備える。
【００２５】
液晶パネル１２１の背面には、導光板（不図示）が設けられ、この導光板がバックライト１２２の構成要素となっている。バックライト１２２は、その他に、複数のＬＥＤを備え、これらは、導光板の側面に対向配置されている。複数のＬＥＤは、便宜的に、ＬＥＤ１２２１、１２２２、１２２３の３つであることとする。
【００２６】
また、グラフィックチップ１１から液晶モジュール１２へ画像を送信するための伝送路Ｌ１と、液晶モジュール１２からグラフィックチップ１１へ分布データを送信、並びにグラフィックチップ１１と液晶モジュール１２とを同期させるタイミング信号などを送信するための伝送路Ｌ２と、グラフィックチップ１１から液晶モジュール１２へのバックライト１２２の光量制御のための光量制御データを送信するための伝送路Ｌ３が設けられている。
【００２７】
（第１の実施の形態の動作）
次に、液晶表示装置１が第１の実施の形態として行う動作を説明する。ここでは、例えば、バックライト１２２のバラツキや径時変化に起因する輝度ムラが生じたときの動作を説明するが、この動作が、例えば、定期的に行われるようにしてもよい。
【００２８】
輝度測定部１２７は、液晶表示装置１がユーザに見せるための画像（単に画像という）を表示していないときに、液晶パネル１２１の輝度を測定する。
【００２９】
このとき、画像生成部１１１は、構成要素である階調値が同一な輝度測定用画像を生成し、フレームバッファ１１２に記憶させ、これを読み出し回路１１３が読み出す。
【００３０】
階調変調部１１４は、輝度測定用画像の階調を変調せず、伝送路Ｌ１により、タイミングコントローラ１２５に送信する。
【００３１】
タイミングコントローラ１２５は、送信された輝度測定用画像をドライバ部１２４に与え、ドライバ部１２４は、その与えられた輝度測定用画像を液晶パネル１２１に表示する。
【００３２】
一方、バックライト制御部１１５は、光量制御データを、伝送路Ｌ３により、バックライトコントロール回路１２３へ送信し、バックライトコントロール回路１２３は、送信された光量制御データに応じた電流で、ＬＥＤ１２２２だけを点灯させる。このとき、ＬＥＤ１２２２からの光は、図２に示すように広がる。輝度測定部１２７は、液晶パネル１２１において主にＬＥＤ１２２２の光が届く矩形領域１２１２を縦横に区分してなる各領域の輝度を測定する。ここでは、各ＬＥＤの並び方向（ｘ方向という）で６に分け、ｘ方向に直交する方向、つまり、ＬＥＤが発する光の進行方向（ｙ方向という）で５に分け、これにより、３０個の輝度Ｋ２（ｘ、ｙ）が測定されたこととする。なお、輝度Ｋ２（ｘ、ｙ）は、例えば、輝度Ｋ２（１、１）が、ｙ方向でＬＥＤに最も近い１個目、ｘ方向で１個目（図面で左端）の領域の輝度となるような関数表記であり、後述する輝度Ｋ１（ｘ、ｙ）、輝度Ｋ３（ｘ、ｙ）も同様である。
【００３３】
例えば、輝度Ｋ２（ｘ、１）は、図２のラインｘ１に交差する６個の領域の輝度であり、図３は、その各輝度を、対応するｘ方向の位置に対応づけて示した図である。同図には、各輝度のエンベロープも示した。このように、各輝度は、ガウス分布に近似可能なものとなる。
【００３４】
また、バックライト制御部１１５は、光量が同じになるように、今度は、ＬＥＤ１２２１だけを点灯させる。そして、輝度測定部１２７が、液晶パネル１２１において主にＬＥＤ１２２１の光が届く矩形領域を縦横に区分してなる各領域の輝度を測定する。ここでは、ｘ方向で６に分け、ｙ方向で５に分け、これにより、３０個の輝度Ｋ１（ｘ、ｙ）が測定されたこととする。
【００３５】
また、バックライト制御部１１５は、光量が同じになるように、今度は、ＬＥＤ１２２３だけを点灯させる。そして、輝度測定部１２７が、液晶パネル１２１において主にＬＥＤ１２２３の光が届く矩形領域を縦横に区分してなる各領域の輝度を測定する。ここでは、ｘ方向で６に分け、ｙ方向で５に分け、これにより、３０個の輝度Ｋ３（ｘ、ｙ）が測定されたこととする。
【００３６】
次に、データ処理部１２８が、輝度Ｋ１（ｘ、ｙ）、輝度Ｋ２（ｘ、ｙ）、輝度Ｋ３（ｘ、ｙ）から、その分布を示す分布データを求める。
【００３７】
ここでは、輝度Ｋ２（ｘ、１）から、図３のエンベロープを示す２つの分布データＤ２１１、Ｄ２１２（例えば、分布データＤ２１１として平均輝度を示すデータ（平均輝度情報）を、分布データＤ２１２として輝度の分散状態を示すデータ（分散輝度情報）を使用する。乗数などを用いてもよい。以下の分布データについても同様）を求める。
【００３８】
同様に、輝度Ｋ２（ｘ、２）から分布データＤ２２１、Ｄ２２２を求め、輝度Ｋ２（ｘ、３）から分布データＤ２３１、Ｄ２３２を求め、輝度Ｋ２（ｘ、４）から分布データＤ２４１、Ｄ２４２を求め、輝度Ｋ２（ｘ、５）から分布データＤ２５１、Ｄ２５２を求める。
【００３９】
同様に、輝度Ｋ１（ｘ、１）から分布データＤ１１１、Ｄ１１２を求め、輝度Ｋ１（ｘ、２）から分布データＤ１２１、Ｄ１２２を求め、輝度Ｋ１（ｘ、３）から分布データＤ１３１、Ｄ１３２を求め、輝度Ｋ１（ｘ、４）から分布データＤ１４１、Ｄ１４２を求め、輝度Ｋ１（ｘ、５）から分布データＤ１５１、Ｄ１５２を求める。
【００４０】
同様に、輝度Ｋ３（ｘ、１）から分布データＤ３１１、Ｄ３１２を求め、輝度Ｋ３（ｘ、２）から分布データＤ３２１、Ｄ３２２を求め、輝度Ｋ３（ｘ、３）から分布データＤ３３１、Ｄ３３２を求め、輝度Ｋ３（ｘ、４）から分布データＤ３４１、Ｄ３４２を求め、輝度Ｋ３（ｘ、５）から分布データＤ３５１、Ｄ３５２を求める。
【００４１】
なお、分布データＤ２１１、Ｄ２２１、Ｄ２３１、Ｄ２４１、Ｄ２５１は、ＬＥＤ１２２２からの直線距離Ｙを引数とする関数ＤＤ２１（Ｙ）により得られるデータということができる。
【００４２】
同様に、分布データＤ２１２、Ｄ２２２、Ｄ２３２、Ｄ２４２、Ｄ２５２は、ＬＥＤ１２２２からのｙ方向の距離Ｙ´を引数とする関数ＤＤ２２（Ｙ´）により得られるデータということができる。
【００４３】
また、分布データＤ１１１、Ｄ１２１、Ｄ１３１、Ｄ１４１、Ｄ１５１は、ＬＥＤ１２２１からの直線距離Ｙを引数とする関数ＤＤ１１（Ｙ）により得られるデータということができる。
【００４４】
同様に、分布データＤ１１２、Ｄ１２２、Ｄ１３２、Ｄ１４２、Ｄ１５２は、ＬＥＤ１２２１からのｙ方向の距離Ｙ´を引数とする関数ＤＤ１２（Ｙ´）により得られるデータということができる。
【００４５】
また、分布データＤ３１１、Ｄ３２１、Ｄ３３１、Ｄ３４１、Ｄ３５１は、ＬＥＤ１２２３からの直線距離Ｙを引数とする関数ＤＤ３１（Ｙ）により得られるデータということができる。
【００４６】
同様に、分布データＤ３１２、Ｄ３２２、Ｄ３３２、Ｄ３４２、Ｄ３５２は、ＬＥＤ１２２３からのｙ方向の距離Ｙ´を引数とする関数ＤＤ３２（Ｙ´）により得られるデータということができる。
【００４７】
次に、タイミングコントローラ１２５が、これらの分布データの少なくとも一方の分布データ、例えば分布データＤ１１１、Ｄ２１１…を、伝送路Ｌ２により、グラフィックチップ１１に送信し、送信されたこれらの分布データがデータ記憶部１１６に記憶される。
【００４８】
その後、画像生成部１１１が、画像を生成し、フレームバッファ１１２に記憶させ、画像信号を読み出し回路１１３が読み出す。
【００４９】
階調変調部１１４は、データ記憶部１１６から分布データを読み出し、これを基に、読み出された画像信号の階調を変調する。例えば、ここでは、分布データから輝度を求め、その輝度を基に画像信号の階調を変調する。そして、階調変調部１１４は、変調後の画像信号を、伝送路Ｌ１により、タイミングコントローラ１２５に送信する。
【００５０】
タイミングコントローラ１２５は、送信された画像をドライバ部１２４に与え、ドライバ部１２４は、その与えられた画像を液晶パネル１２１に表示する。
【００５１】
一方、バックライト制御部１１５は、データ記憶部１１６から分布データを読み出し、これと読み出された画像信号とを基に、バックライト１２２の光量を制御するための光量制御データを生成する。例えば、ここでは、分布データから輝度を求め、その輝度情報と画像信号とを基に光量制御データを生成する。そして、バックライト制御部１１５は、光量制御データを伝送路Ｌ３により、バックライトコントロール回路１２３に送信する。
【００５２】
バックライトコントロール回路１２３は、送信された光量制御データにより、バックライト１２２の各ＬＥＤ１２２１、１２２２、１２２３の光量を制御する。
【００５３】
したがって、第１の実施の形態によれば、バックライトのバラツキや径時変化に起因する輝度ムラが生じたときに、輝度を測定し、輝度の分布を示す分布データを求め、分布データを基に画像の階調を変調して表示させ、分布データと画像信号とを基に、バックライトの光量を制御できるので、バックライトのバラツキや径時変化に起因する輝度ムラを確実に解消することが可能になる。しかも、輝度情報の数より、分布データの数が少ないので、グラフィックチップへ送信されるデータ数を少なくできる。
【００５４】
なお、送信されるデータ数が多くてよい場合は、以下のようにしてもよい。
【００５５】
すなわち、タイミングコントローラ１２５が、測定された平均輝度情報と分散輝度情報の両分布データＤ１１１、Ｄ２１１…及びＤ１１２、Ｄ２１２…を、伝送路Ｌ２により、グラフィックチップ１１に送信し、送信されたこれらの輝度情報がデータ記憶部１１６に記憶される。
【００５６】
その後、画像生成部１１１が、画像を生成し、フレームバッファ１１２に記憶させ、これを読み出し回路１１３が読み出す。
【００５７】
階調変調部１１４は、データ記憶部１１６から輝度情報を読み出し、これを基に、読み出された画像信号の階調を変調し、変調後の画像信号を、伝送路Ｌ１により、タイミングコントローラ１２５に送信する。
【００５８】
タイミングコントローラ１２５は、送信された画像信号をドライバ部１２４に与え、ドライバ部１２４は、その与えられた画像信号に基づく画像を液晶パネル１２１に表示する。
【００５９】
一方、バックライト制御部１１５は、データ記憶部１１６から輝度情報を読み出し、これと読み出された画像信号とを基に、バックライト１２２の光量を制御するための光量制御データを生成し、これを伝送路Ｌ３により、バックライトコントロール回路１２３に送信する。
【００６０】
バックライトコントロール回路１２３は、送信された光量制御データにより、バックライト１２２の各ＬＥＤ１２２１、１２２２、１２２３の光量を制御する。
【００６１】
したがって、バックライトのバラツキや径時変化に起因する輝度ムラが生じたときに、輝度を測定し、測定された輝度情報を基に画像信号の階調を変調して画像を表示させ、輝度情報と画像信号とを基に、バックライトの光量を制御できるので、バックライトのバラツキや径時変化に起因する輝度ムラを確実に解消することが可能になる。
【００６２】
（第２の実施の形態の動作）
次に、液晶表示装置１が第２の実施の形態として行う動作を説明する。
【００６３】
第２の実施の形態では、第１の実施の形態と同様に、分布データが求められ、その後、以下のことが行われる。
【００６４】
データ処理部１２８は、分布データＤ１１１、Ｄ２１１、Ｄ３１１の平均値ＡＶ１１、分布データＤ１１２、Ｄ２１２、Ｄ３１２の平均値ＡＶ１２を求める。
【００６５】
また、分布データＤ１２１、Ｄ２２１、Ｄ３２１の平均値ＡＶ２１、分布データＤ１２２、Ｄ２２２、Ｄ３２２の平均値ＡＶ２２を求める。
【００６６】
また、分布データＤ１３１、Ｄ２３１、Ｄ３３１の平均値ＡＶ３１、分布データＤ１３２、Ｄ２３２、Ｄ３３２の平均値ＡＶ３２を求める。
【００６７】
また、分布データＤ１４１、Ｄ２４１、Ｄ３４１の平均値ＡＶ４１、分布データＤ１４２、Ｄ２４２、Ｄ３４２の平均Ａ値Ｖ４２を求める。
【００６８】
また、分布データＤ１５１、Ｄ２５１、Ｄ３５１の平均値ＡＶ５１、分布データＤ１５２、Ｄ２５２、Ｄ３５２の平均値ＡＶ５２を求める。
【００６９】
なお、平均値ＡＶ１１、ＡＶ２１、ＡＶ３１、ＡＶ４１、ＡＶ５１は、バックライト１２２からの直線距離Ｙを引数とする関数ＡＡ１（Ｙ）により得られるデータということができる。
【００７０】
また、平均値ＡＶ１２、ＡＶ２２、ＡＶ３２、ＡＶ４２、ＡＶ５２は、バックライト１２２からのｙ方向の距離Ｙ´を引数とする関数ＡＡ２（Ｙ´）により得られるデータということができる。
【００７１】
次に、平均値ＡＶ１１から分布データＤ１１１を差し引いた差分値ｄ１１１、平均値ＡＶ１１から分布データＤ２１１を差し引いた差分値ｄ２１１、平均値ＡＶ１１から分布データＤ３１１を差し引いた差分値ｄ３１１を求める。
【００７２】
次に、平均値ＡＶ１２から分布データＤ１１２を差し引いた差分値ｄ１１２、平均値ＡＶ１２から分布データＤ２１２を差し引いた差分値ｄ２１２、平均値ＡＶ１２から分布データＤ３１２を差し引いた差分値ｄ３１２を求める。
【００７３】
次に、タイミングコントローラ１２５が、これらの平均値および差分値をグラフィックチップ１１に送信する。
【００７４】
図４は、平均値および差分値を送信するタイミングを示すタイミングチャートである。
【００７５】
伝送路Ｌ２では、画像信号とともに垂直同期信号が送信され、その有効期間で最初に訪れる平均送信期間Ｔ１において、平均値ＡＶ１１およびＡＶ１２からなるデータＬＤ（１）、平均値ＡＶ２１およびＡＶ２２からなるデータＬＤ（２）、平均値ＡＶ３１およびＡＶ３２からなるデータＬＤ（３）、平均値ＡＶ４１およびＡＶ４２からなるデータＬＤ（４）、平均値ＡＶ５１およびＡＶ５２からなるデータＬＤ（５）が送信される。続いて、差分値送信期間Ｔ２において、差分値ｄ１１１およびｄ１１２からなるデータＸＤ（１）、差分値ｄ２１１およびｄ２１２からなるデータＸＤ（２）、差分値ｄ３１１およびｄ３１２からなるデータＸＤ（３）が送信される。
【００７６】
そして、このように送信された平均値および差分値は、データ記憶部１１６に記憶される。
【００７７】
なお、このように、垂直同期信号の有効期間においては、画像ならびに光量制御データの送信が行われないので、伝送路Ｌ１、Ｌ２、Ｌ３を共通化し、双方向で通信する構成にしてもよい。また、伝送路Ｌ１、Ｌ２、Ｌ３の共通化は、第１の実施の形態において採用してもよい。
【００７８】
その後、画像生成部１１１が、画像信号を生成し、フレームバッファ１１２に記憶させ、これを読み出し回路１１３が読み出す。
【００７９】
階調変調部１１４は、データ記憶部１１６から平均値および差分値を読み出し、これを基に、読み出された画像信号の階調を変調する。例えば、ここでは、平均値および差分値から分布データを求め、分布データから輝度情報を求め、輝度情報を基に画像信号の階調を変調する。そして、階調変調部１１４は、変調後の画像信号をタイミングコントローラ１２５に送信する。
【００８０】
タイミングコントローラ１２５は、送信された画像信号をドライバ部１２４に与え、ドライバ部１２４は、その与えられた画像信号を液晶パネル１２１に供給して画像を表示する。
【００８１】
一方、バックライト制御部１１５は、データ記憶部１１６から平均値および差分値を読み出し、これと読み出された画像信号とを基に、バックライト１２２の光量を制御するための光量制御データを生成する。例えば、ここでは、差分値が一部の分布データから得られたものなので、この差分値を基に、他の分布データから得られるであろう差分値を求め、平均値および差分値から分布データを求め、分布データから輝度情報を求め、輝度情報を基に光量制御データを生成する。そして、バックライト制御部１１５は、光量制御データを伝送路Ｌ３により、バックライトコントロール回路１２３に送信する。
【００８２】
バックライトコントロール回路１２３は、送信された光量制御データにより、バックライト１２２の各ＬＥＤ１２２１、１２２２、１２２３の光量を制御する。
【００８３】
したがって、第２の実施の形態によれば、バックライトのバラツキや径時変化に起因する輝度ムラが生じたときに、輝度を測定し、輝度の分布を示す分布データを求めるとともに、この分布データの平均値を求め、この平均値と分布データのと差分値を求め、平均値および差分値を基に画像の階調を変調して表示させ、平均値および差分値と画像信号とを基に、バックライトの光量を制御できるので、バックライトのバラツキや径時変化に起因する輝度ムラを確実に解消することが可能になる。しかも、分布データの数より、平均値および差分値の数が少ないので、グラフィックチップへ送信されるデータ数を少なくできる。
【００８４】
なお、上記の実施の形態では、ＬＥＤを備えるサイドライト型のバックライトを使用したときのことを説明したが、冷陰極管を導光板の側面に対向配置したサイドライト型のバックライトを備える液晶表示装置において上述の動作がなされるようにしてもよい。
【図面の簡単な説明】
【００８５】
【図１】本発明の実施の形態に係る液晶表示装置１の構成図である。
【図２】輝度測定時の様子を示す図である。
【図３】輝度をｘ方向の位置に対応づけて示した図である。
【図４】平均値および差分値を送信するタイミングを示すタイミングチャートである。
【図５】従来の液晶表示装置における階調とバックライトの制御を説明するための図である。
【符号の説明】
【００８６】
１…液晶表示装置
１１…グラフィックチップ
１２…液晶モジュール
１１１…画像生成部
１１２…フレームバッファ
１１３…読み出し回路
１１４…階調変調部
１１５…バックライト制御部
１１６…データ記憶部
１２１…液晶パネル
１２２…バックライト
１２３…バックライトコントロール回路
１２４…ドライバ部
１２５…タイミングコントローラ
１２６…階調電源
１２７…輝度測定部
１２８…データ処理部
【図１】
2008310147.tif 000003
【図２】
2008310147.tif 000004
【図３】
2008310147.tif 000005
【図４】
2008310147.tif 000006
【図５】
2008310147.tif 000007